(57)【要約】本発明は、キャリアの読取り可能なエフェクトとして情報を読み取るメインビームＣと、第一及び第二の補助ビームＡ，Ｂにより、光キャリアから情報を再生可能な光学システムに関する。光学システムは、メインビームは、第一のトラック上に実質的に位置され、第一及び第二の補助ビームは、それぞれ第二及び第三のトラック上に対向して配置されるように、キャリアにメインビームＣと第一の補助ビームＡ及び第二の補助ビームＢを向けるために構成される。当該光学システムは、関数ｆ＝ｆ（Ａ，Ｂ，Ｃ）によりメインビームからプッシュプル（ＰＰ）ラジアルエラー信号を調整し、関数ｆは、第一、第二及び第三のトラック、すなわちメインビームのローカルの光学的な環境において、隣接して位置される読取り可能なエフェクトに依存する。したがって、プッシュプル信号のフィルタリング又は「クリーニング」は、メインビームのローカルの光学的な環境に依存して実行される。
2008542975.tif 000002
【特許請求の範囲】
【請求項１】
トラックで配置される読取り可能なエフェクトを有する関連する光記録キャリアから情報を再生可能な光学システムであって、
当該光学システムは、
キャリアの読取り可能なエフェクトとして情報を読み取るメインビームＣと、第一の補助ビームＡ及び第二の補助ビームＢとを少なくとも供給する光供給手段と、
光記録キャリアから反射された光を検出可能な光検出手段とを有し、
当該光学システムは、前記キャリアに前記メインビームと前記第一及び第二の補助ビームを向けるために構成され、
前記メインビームは、第一のトラック上に実質的に位置され、
前記第一及び第二の補助ビームは、それぞれ第二及び第三のトラック上に実質的に対向して配置されるか、それぞれ第二及び第三のトラックに隣接して対向して配置され、前記第一のトラックは、第二のトラックと第三のトラックの間にあり、
当該光学システムは、関数ｆ＝ｆ（Ａ，Ｂ，Ｃ）によりプッシュプル（ＰＰ）ラジアルエラー信号を調整するために構成され、前記関数ｆは、前記第一、第二及び第三のトラックにおいて隣接して位置される読取り可能なエフェクトに依存し、
当該光学システムは、調整するための関数ｆにより調整されるプッシュプル（ＰＰ）ラジアルエラー信号の使用により半径方向のエラーのトラッキングを実行するために更に構成される、
ことを特徴とする光学システム。
【請求項２】
前記第二及び第三のトラックは前記第一のトラックに隣接する、
請求項１記載の光学システム。
【請求項３】
前記関連する光記録キャリアのトラックは、溝をもたない部分を含む、
請求項１記載の光学システム。
【請求項４】
前記第一及び第二の補助ビームは、前記関連する光記録キャリアの中心に関して同じ角度位置で実質的に位置される、
請求項１記載の光学システム。
【請求項５】
前記メインビームは、前記関連する光記録キャリアの中心に関して、前記第一及び第二の補助ビームと実質的に同じ角度位置で位置される、
請求項４記載の光学システム。
【請求項６】
当該光学システムは、時間的な領域で、第一の複数のプッシュプル（ＰＰ）ラジアルエラー信号をフィルタリングして、時間的な領域で、第二の複数のプッシュプル（ＰＰ）ラジアルエラー信号を得るために、前記調整するための関数ｆ（Ａ，Ｂ，Ｃ）を使用するために構成される、
請求項１記載の光学システム。
【請求項７】
前記第二の複数のプッシュプル（ＰＰ）ラジアルエラー信号の少なくともサブセットは、半径方向のエラーのトラッキングのために使用される前に平均化される、
請求項６記載の光学システム。
【請求項８】
前記調整するための関数ｆ（Ａ，Ｂ，Ｃ）は、ゼロの半径方向のオフセットの周囲で実質的に非対称の形状を有するプッシュプルエラー信号についてのみ非ゼロの値を有する、
請求項１記載の光学システム。
【請求項９】
前記調整するための関数ｆ（Ａ，Ｂ，Ｃ）は、前記メインビームＣが読取り可能なエフェクトからの光を反射しない間に、第一の補助ビームＡ及び第二の補助ビームＢが同じ種類の読取り可能なエフェクトからの光を同時に反射するときにのみ非ゼロの値を有し、前記読取り可能なエフェクトは、関連する光記録キャリアの半径方向で見られる、
請求項１記載の光学システム。
【請求項１０】
前記調整するための関数ｆ（Ａ，Ｂ，Ｃ）は、前記メインビームＣが読取り可能なエフェクトからの光を反射する間に、第一の補助ビームＡ及び第二の補助ビームＢが読取り可能なエフェクトから光を同時に反射しないときにのみ非ゼロの値を有し、前記読取り可能なエフェクトは、関連する光記録キャリアの半径方向で見られる、
請求項１記載の光学システム。
【請求項１１】
関連する光記録キャリアの光学的に読取り可能なエフェクトを再生するために構成される光学システムを動作する方法であって、
１）キャリアの読取り可能なエフェクトとして情報を読み取るメインビームＣと、第一の補助ビームＢ及び第二の補助ビームＣとを少なくとも放出可能な光供給手段を設けるステップと、
２）光記録キャリアから反射された光を検出可能な光検出手段を設けるステップと、
３）前記メインビームと前記第一及び第二の補助ビームをキャリアに向けるステップと、前記メインビームは、第一のトラック上に実質的に位置され、前記第一及び第二の補助ビームは、それぞれ第二及び第三のトラック上に実質的に対向して配置されるか、それぞれ第二及び第三のトラックに隣接して対向して配置され、前記第一のトラックは、第二のトラックと第三のトラックの間にあり、
４）関数ｆ＝ｆ（Ａ，Ｂ，Ｃ）によりプッシュプル（ＰＰ）ラジアルエラー信号を調整するステップと、前記関数ｆは、前記第一、第二及び第三のトラックにおいて隣接して位置される読取り可能なエフェクトに依存し、
５）前記調節するための関数ｆにより調整されるプッシュプル（ＰＰ）ラジアルエラー信号の使用により半径方向のエラーのトラッキングを実行するステップと、
を含むことを特徴とする方法。
【請求項１２】
データ記憶手段を有する少なくとも１つのコンピュータを含むコンピュータシステムが請求項１１に係る光学システムを制御するのを可能にするために構成されるコンピュータプログラム。
【発明の詳細な説明】
【技術分野】
【０００１】
本発明は、関連する光記録キャリアの光学的に読取り可能なエフェクトを再生し、光記録キャリアでプッシュプルの半径方向のトラッキングを実行する光学システムに関する。
さらに、本発明は、関連する光記録キャリアの光学的に読取り可能なエフェクトを再生する方法に関する。
【背景技術】
【０００２】
情報記憶容量の増加の要求に対応するため、利用可能な光メディア、すなわちコンパクトディスク（ＣＤ）、デジタルバーサティルディスク（ＤＶＤ）、及びＢｌｕ−ｒａｙディスク（ＢＤ）は、記憶容量におけるコンスタントな改善を示している。これら光メディアでは、再生解像度は、これまで、再生光の波長λ及び光再生装置の開口数（ＮＡ）により大部分は支配されている。しかし、再生光の波長を短くすること、又は対応するレンズシステムの開口数を増加することは容易ではないので、記録密度を増加する試みは、記録メディア及び／又は記録／再生方法を改善することに焦点が当てられている。
【０００３】
現在、２４０ｎｍのトラックピッチを５０ｎｍのチャネルビット長と結合することで達成される密度制限により、ＢＤタイプディスクの容量が、メディアの情報のレイヤ当たり現在の２３−２５−２７ＧＢから５０ＧＢにまで潜在的に増加することができることが示されている。
【０００４】
しかし、チャネルビット長を更に低減すること、又はトラックピッチ（Ｔp）を低減することによる半径方向の密度を減少することにより正接方向の密度を増加することは、ある限界に到達していると思われる。特に、シングルスポットのＤＰＤ（Differential  Phase  Difference）方法によりラジアルトラッキングが実行されるリードオンリメモリ（ＲＯＭ）で、（半径方向における）空間周波数が光学的なカットオフを超えるためにトラッキングエラー信号が消失するので、トラックピッチは、２５０ｎｍ前後で制限される。
【発明の開示】
【発明が解決しようとする課題】
【０００５】
したがって、改善されたラジアルトラッキングによる光学システムが有利であり、特に、より効率的及び／又は信頼できる光学システムが有利である。
【０００６】
本発明は、１以上の上述された問題を単独で、又は組み合わせで軽減、緩和又は除去することが好ましい。特に、本発明の目的は、記憶密度を更に増加することによる、従来技術の上述の問題を解決する光学システムを提供することにある。
【課題を解決するための手段】
【０００７】
上述の目的及び幾つかの他の目的は、トラックで配置される読取り可能なエフェクト（effect）を有する関連する光記録キャリアから情報を再生可能な光学システムを提供することで、本発明の第一の態様において得られる。
【０００８】
当該光学システムは、以下を有する。キャリアの読取り可能なエフェクトとして情報を読み取るメインビームと、第一及び第二の補助ビームとを少なくとも供給する光供給手段。光記録キャリアから反射された光を検出可能な光検出手段。当該光学システムは、キャリアにメインビームと第一及び第二の補助ビームを向けるために構成される。メインビームは、第一のトラック上に実質的に位置される。第一及び第二の補助ビームは、それぞれ第二及び第三のトラック上に実質的に対向して配置されるか、それぞれ第二及び第三のトラックに隣接して対向して配置され、第一のトラックは、第二のトラックと第三のトラックの間にある。
【０００９】
当該光学システムは、関数ｆ＝ｆ（Ａ，Ｂ，Ｃ）によりプッシュプル（ＰＰ）ラジアルエラー信号を調整するために構成され、関数ｆは、第一、第二及び第三のトラックにおいて隣接して位置される読取り可能なエフェクトに依存する。  
当該光学システムは、調整するための関数ｆにより調節されるプッシュプル（ＰＰ）ラジアルエラー信号の使用により半径方向のエラーのトラッキングを実行するために更に構成される。
【００１０】
第一の態様に係る本発明は、特に、限定するものではないが、短いトラックピッチすなわちトラック幅をもつキャリアの情報を再生可能な光学システムを容易にするために有利である。これは、調整するための関数ｆの選択性のために得られ、ｆはメインビームのローカルな光環境に依存する。したがって、所定のローカルな光学的なコンフィギュレーションは、半径方向のトラッキングを実行するために使用され、他のローカルな光学的なコンフィギュレーションが使用されない。
【００１１】
さらに、本発明は、経験的／モデリングの研究により証明されるように、短いトラックピッチの値でラジアルトラッキングエラー信号の振幅を改善する。さらに、信号対雑音比は、調整するための関数ｆの選択性のために改善される。  
光記録キャリアのトラックは、たとえば連続する螺旋の形式であるか、多数の同心円の形式である。  
トラックが連続する螺旋の形式である場合、光記録キャリアの実質的に平行なトラックを構成する。螺旋トラックは、幾つかの平行なトラックを含むとして理解される。
【００１２】
有利なことに、第二及び第三のトラックは第一のトラックに隣接する場合があるが、隣接して読取り可能なエフェクトは、本発明のコンテクスト内で、隣接するトラックに位置される必要がない。したがって、第三及び第四の補助ビームの利用は、本発明の原理の自然の拡張である。しかし、データ分析は、３つの隣接するトラックを考慮することで簡略化される場合がある。
【００１３】
有利なことに、関連する光記録キャリアのトラックは、溝をもたない部分を含む。特に、ラジアルトラッキングのために溝を有さないリードオンリメモリ（ＲＯＭ）フォーマットのケースがある。したがって、本発明は、ＤＶＤ又はＢＤでのコマーシャルムービーといった、この種類の広く普及しているキャリアの記憶密度を増加するために適用される場合がある。
【００１４】
特定の実施の形態では、第一及び第二の補助ビームは、関連する光記録キャリアの中心に関して同じ角度位置で実質的に位置される。これは、その後のデータ分析を大幅に簡略化する。しかし、光検出手段で反射された光分布を空間的に分離するため、メインビームと第一及び第二の補助ビームは、正接方向で互いに関してシフトされる。かかるシフトから生じる遅延は、電気的に補償される場合がある。さらに、メインビームは、第一及び第二の補助ビームによりキャリアの中心位置に関して（同じ角度位置を有して）角度的に揃えられる場合がある。したがって、３つのスポットは、キャリア上で様々な向きで、あるライン上に実質的に配置される。これは、光分割手段がたとえばグレーティングである場合に生じる場合がある。
【００１５】
光学システムは、時間的な領域で、第一の複数のプッシュプル（ＰＰ）ラジアルエラー信号をフィルタリングして、時間的な領域で、すなわち低い周波数で、第二の複数のプッシュプル（ＰＰ）ラジアルエラー信号を得るために、調整するための関数ｆ（Ａ，Ｂ，Ｃ）を使用するために構成される。したがって、第一の複数のプッシュプルラジアルエラー信号のフィルタリングにより、不適切な信号を分離するため、小さな第二の複数の信号が得られる。さらに、第二の複数のプッシュプル（ＰＰ）ラジアルエラー信号のサブセットは、半径方向のエラーのトラッキングのために使用される前に平均化される。後者は、信号対雑音比を改善する。
【００１６】
有利なことに、調整するために関数ｆ（Ａ，Ｂ，Ｃ）は、ゼロの半径方向のオフセットの周囲で実質的に非対称の形状を有するプッシュプルエラー信号についてのみ非ゼロの値を有する場合がある。これは、いわゆるＳ曲線のケースであり、したがって調整するための関数ｆは、かかる予め決定された形状を有さないプッシュプルエラー信号を除去するために使用される場合がある。
【００１７】
特定の実施の形態では、調整するための関数ｆ（Ａ，Ｂ，Ｃ）は、メインビームＣが読取り可能なエフェクトからの光を反射しない間に、第一の補助ビームＡ及び第二の補助ビームＢが同じ種類の読取り可能なエフェクトからの光を同時に反射するときにのみ非ゼロを有する場合があり、前記読取り可能なエフェクトは、関連するキャリアの半径方向で見られる。逆に、調整するための関数ｆ（Ａ，Ｂ，Ｃ）は、メインビームＣが読取り可能なエフェクトからの光を反射する間に、第一の補助ビームＡ及び第二の補助ビームＢが読取り可能なエフェクトから光を同時に反射しないときにのみ非ゼロの値を有する場合があり、前記読取り可能なエフェクトは、関連するキャリアの半径方向で見られる。両方の条件は、半径方向で見られるように対称なローカルの光学的な環境を提供し、以下で更に説明されるように、メインビームの反射された光から結果的に得られるプッシュプル信号への有利な効果を有する場合がある。
【００１８】
第二の態様では、本発明は、関連する光記録キャリアの光学的に読取り可能なエフェクト（effect）を再生するために構成される光学システムを動作する方法に関する。
【００１９】
当該方法は、以下のステップを有する。  
１）キャリアの読取り可能なエフェクトとして情報を読み取るメインビームと、第一及び第二の補助ビームとを少なくとも放出可能な光供給手段を設けるステップ。２）光記録キャリアから反射された光を検出可能な光検出手段を設けるステップ。３）メインビームと第一及び第二の補助ビームをキャリアに向けるステップ。メインビームは、第一のトラック上に実質的に位置される。第一及び第二の補助ビームは、それぞれ第二及び第三のトラック上に実質的に対向して配置されるか、それぞれ第二及び第三のトラックに隣接して対向して配置され、第一のトラックは、第二のトラックと第三のトラックの間にある。４）関数ｆ＝ｆ（Ａ，Ｂ，Ｃ）によりプッシュプル（ＰＰ）ラジアルエラー信号を調整するステップ。関数ｆは、第一、第二及び第三のトラックにおいて隣接して位置される読取り可能なエフェクトに依存する。５）調節する関数ｆにより調節されるプッシュプル（ＰＰ）ラジアルエラー信号の使用により半径方向のエラーのトラッキングを実行するステップ。
【００２０】
第二の態様に係る本発明は、特に、限定されるものではないが、情報の記録（たとえば書込み）及び再生（たとえばＲＯＭ）の両者について光ドライブを動作する改善された方法を容易にするために有利であり、これは、本願発明がプッシュプル信号のデータ分析におけるフィルタリング又は「クリーニング」ステップとして容易に実現されるためである。
【００２１】
第三の態様では、本発明は、データ記憶手段を有する少なくとも１つのコンピュータを含むコンピュータシステムが本発明の第二の態様に係る光学システムを制御するのを可能にするために構成されるコンピュータプログラムに関する。
【００２２】
本発明のこの態様は、特に、排他するものではないが、本発明の第二の態様の動作をコンピュータシステムが実行するのを可能にするコンピュータプログラムにより本発明が実現される点で有利である。したがって、ある公知の光学システムが、前記光学システムを制御するコンピュータシステムにコンピュータプログラムをインストールすることで、本発明に従って動作するために変化される場合がある。かかるコンピュータプログラムは、たとえば磁気に基づいた媒体又は光に基づいた媒体といった任意の種類のコンピュータ読取り可能な媒体で提供されるか、或いは、たとえばインターネットといったコンピュータに基づいたネットワークを通して提供される場合がある。
【００２３】
本発明の第一、第二及び第三の態様は、他の態様の何れかと結合される場合がある。本発明のこれらの態様及び他の態様は、以下に記載される実施の形態を参照して明らかにされるであろう。本発明は、添付図面を参照して例示を通して説明される。
【発明を実施するための最良の形態】
【００２４】
図１は、本発明に係る光学システム及び光キャリア１００を概念的に示す図である。キャリア１００は、保持手段３０により固定され、回転される。
【００２５】
キャリア１００は、放射線ビーム５２により情報を記録するために適した材料を含む。記録材料は、たとえば、磁気−光タイプ、相変化タイプ、ダイタイプ、Ｃｕ／Ｓｉ等の合金、又は他の適切な材料からなる場合がある。情報は、リライタブルメディアについてマークと呼ばれ、ライトワンスメディアについてピットと呼ばれる、キャリア１００の光学的に検出可能な領域の形式で記録される。
【００２６】
本装置は、光ピックアップ（ＯＰＵ）とも呼ばれる光学ヘッド２０を有し、光学ヘッド２０は、たとえば電気ステッピングモータといったアクチュエーション手段２１により移動可能である。光学ヘッド２０は、光検出システム１０１、放射線源４、ビームスプリッタ６、対物レンズ７、及びレンズ移動手段９を有する。また、光学ヘッド２０は、放射線ビーム５２を少なくとも３つの成分Ａ，Ｂ及びＣに分割可能なグレーティング又はホログラフィックパターンのような光分割手段２２を有しており、Ａ，Ｂは、メインビームＣのそれぞれのサイドでの第一次の回折を示す。明確さのため、ビームスプリッティング手段２２を通過した後、放射線ビームＡ，Ｂ，Ｃがトリプレットシングルビームとして示されるが、たとえば光分割手段２２がグレーティングである場合に更に多くの補助スポットが典型的に存在する。同様に、反射された放射線８は、３つのスポットＡ，Ｂ，Ｃの反射及びその回折といった１を超える成分を有するが、唯一のビーム８が明確さのために図１に示される。
【００２７】
光検出システム１０１の機能は、キャリア１００から反射された放射線８を電気信号に変換することである。したがって、光検出システム１０１は、プリプロセッサ１１に送出される１以上の電気的な出力信号を発生可能な、たとえばフォトダイオード、電荷結合素子（ＣＣＤ）等といった幾つかの光検出器を有する。光検出器は、互いに空間的に離れて、プリプロセッサ１１におけるフォーカスエラー（ＦＥ）及びラジアルトラッキングエラー（ＲＴＥ）の検出を可能にするように十分な時間分解能で配置される。したがって、プリプロセッサ１１は、フォーカスエラー（ＦＥ）及びラジアルトラッキングエラー（ＲＴＥ）信号をプロセッサ５０に送出する。光検出システム１０１は、プリプロセッサ１１を通してプロセッサ５０に、キャリア１００から読み取られた情報を表すリード信号又はＲＦ信号を送信する。リード信号は、プロセッサ５０におけるＲＦ信号のロウパスフィルタリングによりセントラルアパーチャ（ＣＡ）信号に変換される場合がある。
【００２８】
放射線ビーム５２を放出する放射線源４は、たとえば可変電力、おそらく可変の放射線の波長をもつ半導体レーザである。代替的に、放射線源４は、１を超えるレーザを有する場合がある。放射線源４の関連する波長は、ＩＲ、可視光、ＵＶ及び軟Ｘ線を含む場合がある。
【００２９】
光学ヘッド２０は、放射線ビーム５２がビームスプリッタ６及び対物レンズ７を介して光キャリア１００に向けられるように光学的に配置される。さらに、コリメータレンズ（図示せず）は、対物レンズ７の前に存在する場合がある。キャリア１００から反射された放射線８は、対物レンズ７により収集され、ビームスプリッタ６を通過した後、光検出システム１０１に入力し、この光検出システム１０１は、上述したように、入射した放射線８を電気的な出力信号に変換する。
【００３０】
プロセッサ５０は、プリプロセッサ１１からの出力信号を受け、分析する。プロセッサ５０は、図１に示されるように、制御信号を、アクチュエーション手段２１、放射線源４、レンズ移動手段９、プリプロセッサ１１、及び保持手段３０に出力する。同様に、プロセッサ５０は、参照符号６１で示されるデータを受け、プロセッサ５０は、参照符号６０で示されるように読み取りプロセスからデータを出力する場合がある。
【００３１】
図２は、本発明を実現するための３つの光検出器のセクション１１０，１２０，１３０を含む光検出手段１０１の概念図である。それぞれの光検出器セクション１１０，１２０，１３０について、対応するスポットＡ，Ｂ及びＣが示されている。図２に示される実施の形態では、光検出器のセクション１２０は、２つの光検出器ａ及びｂに分割される。これは、プッシュプル（ＰＰ）方法によるトラッキングを実行するための通常の光コンフィギュレーションであり、２つの検出器ａ及びｂの間の相対的な重み付けは、意図された半径方向の位置及び実際の位置からエラー又は変位を示すラジアルエラー信号を発生するために使用される。簡単のため、唯一のスポットが光検出器のセクション１１０，１２０及び１３０で示されるが、典型的に、第一次の回折ライン（ｍ＝±１）も同様に存在する。ａ及びｂでマークされた検出器間の相対的な重み付けにより、減算回路１２２によりプッシュプル信号ＰＰが得られる。回路１２１は、光検出器セクション１２０からセントラルアパーチャ信号ＣＡAを提供するために加算回路として機能する。回路１２１及び１２２は、プリプロセッサ１１で位置される場合がある。同様に、補助ビームＢ及びＡのそれぞれの反射が入射となる光検出器１１０及び１３０から、２つのセントラルアパーチャ信号ＣＡB及びＣＡAが得られる。光検出器セクション１１０，１２０及び１３０から有効なセントラルアパーチャ（ＣＡ）信号を得るため、安定な出力信号を有するためにロウパスフィルタリングを実行することが必要な場合がある。
【００３２】
図２では、フィルタリング又は区別関数ｆを使用するための調節手段４０が示される。関数ｆは、トラッキングエラー信号ＴＥＳを取得するための予め決定された基準に従い、有効であるとして定義されない光検出器１２０からのプッシュプル信号ＰＰをフィルタリングするため、第一、第二及び第三のトラックにおける隣接して位置される読取り可能なエフェクトに依存する。幾つかの予め定義された基準の例は以下に与えられるが、フィルタリングの作用は、本質的に、ラジアルエラートラッキングの適したメインビームＣの周囲での１以上のローカルな光学的な環境を選択することである。関数ｆは、たとえばピットといったメインスポットＣに隣接する読取り可能なエフェクト、及びメインビームＣ自身により読み取られる読取り可能なエフェクトに依存する。
ｆ＝ｆ（ＣＡA，ＣＡB，ＣＡC）＝ｆ（Ａ，Ｂ，Ｃ）      （１）
したがって、フィルタリング手段の使用の後、プッシュプル信号のサブセットｆ：ＰＰのみが残される。本発明のコンテクストでは、このサブセットは、第一の複数のプッシュプル信号として定義される。
【００３３】
図２で示される実施の形態では、平均手段１５０が更に設けられ、フィルタリングされたプッシュプル信号ｆ：ＰＰのサブセットに平均化手順を実行して、平均化される信号＜ｆ：ＰＰ＞を得る。これは、プッシュプル信号ＰＰが光キャリア１００からのデータサンプリングのクロック周波数で得られるために行われ、フィルタリング後のプッシュプル信号の数、すなわちｆ：ＰＰが減少されたとしても、ラジアルトラッキングエラー信号について更に安定な信号の必要がある。
【００３４】
本発明の原理を説明及び立証するため、本発明者は、メインビームＣの異なるローカルの光学的な環境、及びメインビームＣのプッシュプル信号ＰＰへの結果的に得られる作用による包括的なモデリングの研究を行った。
【００３５】
図３Ａ，図３Ｂ及び図３Ｃは、３つの異なるトラックピッチ値３２０ｎｍ、２４０ｎｍ及び１６０ｎｍのそれぞれからのモデリングの結果を示す。水平方向のスケールには、半径方向のトラッキングオフセットが示されている。したがって、ゼロトラッキングオフセットについて、メインビームＣは、意図されたトラックに位置される。垂直方向のスケールには、メインビームＣのプッシュプル信号ＰＰがプロットされる。３つの隣接するトラックの例について、プッシュプル信号ＰＰは、メインビームＣの非ゼロの部分の下にあるピッツに依存して応答する。それぞれのトラックがピッツ又は空のスペースのいずれかを有する３つのトラックを有することで、半径方向で生じる２3＝８の異なる状況が存在する。なお、ピッツが長さを変えることが無視される。以下の表１では、対応する光学的なコンフィギュレーションをもつ図３Ａ〜図３Ｃの曲線番号が与えられる。また、調整関数ｆの例が与えられる。
【００３６】
【表１】
2008542975.tif 000003
トラックピッチ３２０ｎｍによる図３Ａでは、曲線４，７及び８を除く全ての曲線は、ゼロトラッキングオフセットの前後で非対称であるメインビームＣからプッシュプル信号ＰＰを生じる。したがって、効果的に、曲線１，２，３，５及び６は、これらの曲線がいわゆるラジアルトラッキングのために通常使用される“Ｓ曲線”の形状を有するので、ラジアルトラッキングのために使用される場合がある曲線を表す。このトラックピッチで、従来行われているように、すなわちフィルタリングなしに、全ての曲線を互いに加えて、有効なプッシュプル信号を得ることは可能性のある平均化である。
【００３７】
図３Ｂに示されるように、トラックピッチを２４０ｎｍに減少すると、ゼロトラッキングオフセットの周囲で非対称的なＳ形状を有する曲線３及び６のみである。したがって、「ピット−ランド−ピット」及び反対に［ランド−ピット−ランド］のそれぞれに対応する光学的なコンフィギュレーション［０，１，０］及び［１，０，１］は、ラジアルトラッキングエラーの目的について好まれる。
【００３８】
図３Ｃに示されるように、トラックピッチを更に１６０ｎｍにまで減少すると、同じ作用が示され、すなわち曲線３及び６はゼロトラッキングオフセットの周囲で非対称なＳ形状を有し、したがって、これらの光学的なコンフィギュレーションは、この短いトラックピッチでのプッシュプル方法によるラジアルエラートラッキングに最良に適している。なお、この短いトラックピッチについて、全ての曲線の平均化によって、ゼロ信号が得られる。
【００３９】
図４は、ＲＯＭタイプの光キャリアの小さな部分のスキャニングの電子顕微鏡の写真である。図４には、キャリア１００が回転するとき、メインビームＣ及び補助ビームＡ及びＢが位置される場所の示唆が与えられる。メインビームＣの移動方向及びパスは、ＳＥＭ写真の中心における太い矢印により示される。キャリア１００の回転に応じて、メインビームＣは、第一のトラックＩで位置され、第一の補助ビームＡは、隣接する第二のトラックＩＩで位置され、第二の補助ビームＢは、隣接する第三のトラックＩＩＩで位置される。メインビームＣと第一の補助ビームＡ及び第二の補助ビームＢは、（太い矢印での）正接方向で互いに関してシフトされる。かかるシフトから生じる遅延は、電子的に補償される。
【００４０】
２つの異なる時間ｔ1及びｔ2で、メインビームＣは、曲線６及び３にそれぞれ対応する、半径方向で見られるようなローカルな光学的な環境を有する。目を助けるため、２つの半透明なボックスが図４に加えられ、これら光学的なコンフィギュレーションを示す。調節関数ｆの目的は、時間ｔ1及びｔ2を除いてメインビームＣから得られる全てのプッシュプル信号ＰＰをフィルタリングすることである。したがって、関数ｆは、ｔ1及びｔ2で非ゼロである。さらに、調節関数は、表１に見られるように、２つのプッシュプル曲線が反対の符号を有するので、曲線３又は曲線６の逆を実行する。したがって、調節関数ｆ（Ａ，Ｂ，Ｃ）は、第一のモデルにおいて、−１，０，＋１のグループから選択された近似的な値をもつシンプルなステップ特性を有し、この場合、０はシンプルな区別に対応し、＋１は許可された値に対応し、−１は反転を必要とする許可された値に対応する。
【００４１】
なお、本出願で与えられたよりも発展したモデリングは、ラジアルトラッキングについて図３Ｂ及び図３Ｃで示される曲線３及び６を利用するだけでなく、ゼロのラジアルトラッキングオフセット周辺での上述された非対称な形状を示さない曲線を更に利用するために利用される場合がある。かかるモデリングは、正しいトラッキングエラーを得るために実際の曲線の形状を考慮する。しかしながら、かかるモデリングは、本発明の原理がひとたび理解されると、当業者の想到する範囲であると考えられる。特に、更に発展した方法は、キャリア１００の正接方向におけるシンボル間干渉（ＩＳＩ）を制限するための手段を利用する場合がある。
【００４２】
図５は、本発明の第二の態様に係る方法のフローチャートである。したがって、関連する光記録キャリア１００で光学的に読取り可能なエフェクトを再生するために構成される光学システムを動作する方法は、以下のステップを含む。
【００４３】
ステップＳ１は、キャリアの読取り可能なエフェクトとして情報を読み取るメインビームＣと、第一の補助ビームＡ及び第二の補助ビームＢとを少なくとも放出可能な光供給手段４，２２，７を設ける。ステップＳ２は、光記録キャリアから反射された光８を検出可能な光検出手段１０１を設ける。ステップＳ３は、メインビームＣと第一及び第二の補助ビームＡ，Ｂをキャリアに向ける。メインビームは、第一のトラックＩ上に実質的に位置される。第一及び第二の補助ビームは、それぞれ第二のトラックＩＩ及び第三のトラックＩＩＩ上に実質的に対向して配置されるか、それぞれ第二のトラックＩＩ及び第三のトラックＩＩＩに隣接して対向して配置され、第一のトラックＩは、第二のトラックＩＩと第三のトラックＩＩＩの間にある。ステップＳ４は、関数ｆ＝ｆ（Ａ，Ｂ，Ｃ）によりプッシュプルラジアルエラー信号ＰＰを調整する。関数ｆは、第一のトラックＩ、第二のトラックＩＩ及び第三のトラックＩＩＩにおいて隣接して位置される読取り可能なエフェクトに依存する。ステップＳ５は、調節関数ｆにより調節されるプッシュプル（ＰＰ）ラジアルエラー信号の使用により半径方向のエラーのトラッキングを実行する。
【００４４】
本発明は特定の実施の形態と共に記載されたが、本実施の形態で述べた特定の形式に限定されることが意図されない。むしろ、本発明の範囲は、特許請求の範囲によってのみ制限される。請求項では、用語「有する“comprising”」は、他のエレメント又はステップの存在を排除するものではない。さらに、個々の特徴が異なる請求項に含まれる場合があるが、これらは、有効に結合される場合があり、異なる請求項における包含は、特徴の組み合わせが実施可能及び／又は有利でないことを意味しない。
【図面の簡単な説明】
【００４５】
【図１】本発明の第一の態様に係る光学システムの概念図である。
【図２】本発明の第一の態様に係る光検出手段及び調整手段の概念図である。
【図３】図３Ａ，図３Ｂ及び図３Ｃは、３つの異なるトラックピッチ値からのモデリング結果を示すグラフである。
【図４】メインビーム及び補助ビームが位置される場所が示唆される光キャリアのスキャニング電子顕微鏡写真である。
【図５】本発明の第二の態様に係る方法のフローチャートである。
【図１】
2008542975.tif 000004
【図２】
2008542975.tif 000005
【図３Ａ】
2008542975.tif 000006
【図３Ｂ】
2008542975.tif 000007
【図３Ｃ】
2008542975.tif 000008
【図４】
2008542975.tif 000009
【図５】
2008542975.tif 000010
【国際調査報告】
2008542975.tif 000011
2008542975.tif 000012
2008542975.tif 000013